(57)【要約】【課題】待機時の消費電力を一層削減することが可能なビデオカセット処理装置を提供する。【解決手段】挿入されたビデオカセットと接触することによりまたはセットされたビデオカセットの誤消去防止部と接触することにより、ＯＦＦ状態からＯＮ状態に切り換わり、ＯＮ状態でのみ電力を消費するレックセーフティスイッチを設けて、ビデオカセットの挿入を検出する挿入検出手段と、ビデオカセットの誤消去防止部の録画禁止状態を検出する録画禁止検出手段として兼用する。待機時に上記スイッチがＯＦＦ状態からＯＮ状態に切り換わると、ビデオカセットが挿入されたと判断し、ビデオカセットのセット時に上記スイッチがＯＦＦ状態にあると、ビデオカセットの誤消去防止部が録画禁止状態にあると判断する。【選択図】図５
2007257700.tif 000002
【特許請求の範囲】
【請求項１】
ビデオカセットが挿入されたことを検出する挿入検出手段と、ビデオカセットに設けられた誤消去防止部が録画禁止状態にあることを検出する録画禁止検出手段と、待機時に挿入検出手段によりビデオカセットが挿入されたと判断すると自動的に各部を起動して該ビデオカセットを引き込んでセットし、録画禁止検出手段によりビデオカセットの誤消去防止部が録画禁止状態にあると判断すると該ビデオカセットに内蔵された磁気テープに対する録画を禁止する制御手段とを備えたビデオカセット処理装置において、
前記誤消去防止部は、ビデオカセットの側面に設けられた凹部と、該凹部を塞ぐように設けられ折り曲げて切断可能な爪とから構成され、
前記録画禁止検出手段は、離間させて設けられた２つの電気的接点と、離間させて前記各電気的接点にそれぞれ接続された弾性を有する２つの端子と、前記端子の一方の他方と対向しない面に設けられ、セットされたビデオカセットの前記誤消去防止部の前記爪に接触して前記端子の一方を他方へ押し付ける第１の操作子と、前記端子の先端部に支持され、挿入されたビデオカセットと接触して前記端子間へ押し込まれ、ビデオカセットから離間した状態で前記端子間から押し出される第２の操作子と、前記第２の操作子の側面に設けられ、前記第２の操作子が前記端子間へ押し込まれたときに前記各端子に接触する導体とを備え、前記各端子が互いに接触しまたは前記導体と接触して、前記２つの電気的接点が導通することによりＯＮ状態になり、前記各端子と前記導体とがそれぞれ離間して、前記２つの電気的接点が導通しないことによりＯＦＦ状態になり、ＯＮ状態でのみ電力を消費するスイッチから構成され、
前記スイッチを前記挿入検出手段として兼用して、専用の前記挿入検出手段を省略し、待機時に前記スイッチがＯＦＦ状態からＯＮ状態に切り換わると、前記制御手段はビデオカセットが挿入されたと判断し、ビデオカセットのセット時に前記スイッチがＯＦＦ状態にあると、前記制御手段はビデオカセットの前記誤消去防止部が録画禁止状態にあると判断することを特徴とするビデオカセット処理装置。
【請求項２】
ビデオカセットが挿入されたことを検出する挿入検出手段と、ビデオカセットに設けられた誤消去防止部が録画禁止状態にあることを検出する録画禁止検出手段と、待機時に挿入検出手段によりビデオカセットが挿入されたと判断すると自動的に各部を起動して該ビデオカセットを引き込んでセットし、録画禁止検出手段によりビデオカセットの誤消去防止部が録画禁止状態にあると判断すると該ビデオカセットに内蔵された磁気テープに対する録画を禁止する制御手段とを備えたビデオカセット処理装置において、
前記録画禁止検出手段は、挿入されたビデオカセットと接触することによりまたはセットされたビデオカセットの前記誤消去防止部と接触することによりＯＦＦ状態からＯＮ状態に切り換わり、ＯＮ状態でのみ電力を消費するスイッチから構成され、
前記スイッチを前記挿入検出手段として兼用し、待機時に前記スイッチがＯＦＦ状態からＯＮ状態に切り換わると、前記制御手段はビデオカセットが挿入されたと判断し、ビデオカセットのセット時に前記スイッチがＯＦＦ状態にあると、前記制御手段はビデオカセットの前記誤消去防止部が録画禁止状態にあると判断することを特徴とするビデオカセット処理装置。
【請求項３】
請求項２に記載のビデオカセット処理装置において、
前記誤消去防止部は、ビデオカセットの側面に設けられた凹部と、該凹部を塞ぐように設けられ折り曲げて切断可能な爪とから構成され、
前記スイッチは、離間させて設けられた２つの電気的接点と、離間させて前記各電気的接点にそれぞれ接続された弾性を有する２つの端子と、前記端子の一方の他方と対向しない面に設けられ、セットされたビデオカセットの前記誤消去防止部の前記爪に接触して前記端子の一方を他方へ押し付ける第１の操作子と、前記端子の先端部に支持され、挿入されたビデオカセットと接触して前記端子間へ押し込まれ、ビデオカセットから離間した状態で前記端子間から押し出される第２の操作子と、前記第２の操作子の側面に設けられ、前記第２の操作子が前記端子間へ押し込まれたときに前記各端子に接触する導体とから構成されたことを特徴とするビデオカセット処理装置。
【発明の詳細な説明】
【技術分野】
【０００１】
本発明は、ビデオカセットに内蔵された磁気テープに対して再生や録画の処理を行うビデオデッキやビデオデッキを内蔵した映像機器のようなビデオカセット処理装置に関するものである。
【背景技術】
【０００２】
図６は、従来のビデオカセット処理装置５０の要部構造とビデオカセット４０を示す図である。図７は、ビデオカセット処理装置５０にビデオカセット４０が挿入されてセットされる状態を示す図である。ビデオカセット（以下「カセット」という。）４０は、ＶＨＳまたはＳ−ＶＨＳ方式のビデオカセットである。カセット４０には、映像のデータを磁気により録画する磁気テープ４１と、該磁気テープ４１を巻き付けたリール４２が内蔵されている。カセット４０の一方の側面には、開閉可能なカバー４３が取り付けられている。カバー４３を開けることで、磁気テープ４１が露出する。カセット４０のカバー４３と反対側の側面には、磁気テープ４１に録画したデータを保護するための誤消去防止部４４が設けられている。誤消去防止部４４は、凹部４５と、該凹部４５を塞ぐように設けられ折り曲げて切断可能な爪４６とから構成されている。磁気テープ４１に録画したデータを他のデータの上書きにより消去してもよい場合には、爪４６は切断されず、消去したくない場合には、爪４６は折り曲げられて切断される。
【０００３】
ビデオカセット処理装置５０は、例えばビデオデッキまたはビデオデッキを内蔵したテレビジョン受像機やＤＶＤ（Digital Versatile Disk）プレーヤ等の映像機器から構成されている。ビデオカセット処理装置５０の本体１の前面には、カセット４０を挿入する挿入口２が設けられている。本体１の内部には、カセット４０に対してローディングを行う機構が設けられている。ローディングとは、挿入口２から挿入されたカセット４０を本体１の内部に引き込んでリール台座３にセットするカセットローディングと、セットしたカセット４０から磁気テープ４１を引き出してシリンダ４に巻き付けるテープローディングの２つの動作のことをいう。カセットローディングを行う機構については、公知のものと同様であるため図示を省略している。テープローディングを行う機構については、公知のものと同様であるため、シャーシ５に設けられた溝６に沿って移動するスライダ７と該スライダ７上に設置されたガイドポスト８および傾斜ピン９のみを図示し、その他は図示を省略している。
【０００４】
本体１の内部の挿入口２近傍に設けられた基板１６には、挿入口２からカセット４０が挿入されたことを検出するセンサ１０が実装されている。センサ１０は、発光素子１１と受光素子１２から成るフォトセンサから構成されている。発光素子１１は、発光ダイオードから成り、本体１の中央に１つだけ配置されていて、常時光を発している。受光素子１２は、発光素子１１の両側に挿入口２より広い間隔で２つ配置されている。発光素子１１の上部には、図示しないプリズムが取り付けられている。発光素子１１から上向きに発せられた光は、そのプリズムにより光路を曲げられて、各受光素子１２へ向かって進んで行く。発光素子１１と受光素子１２の間には、レバー１３が設けられている。レバー１３は、図示しないフレームに回動可能に設けられ、図示しないねじりコイルばねから図７（ａ）に示す姿勢を保持するような力を受けている。
【０００５】
基板１６のセンサ１０より挿入口２側には、カセット４０の誤消去防止部４４が録画を禁止する状態にあることを検出するスイッチ１４が実装されている。スイッチ１４は、操作子１５が押し込まれることによりＯＦＦ状態からＯＮ状態に切り換わるマイクロスイッチから構成されている。誤消去防止部４４の録画禁止状態とは、爪４６が切断されて、凹部４５が塞がれていない状態のことである。誤消去防止部４４の録画許可状態とは、爪４６が残っていてまたはビニルテープ等の爪４６に代わるものにより、凹部４５が塞がれている状態のことである。上記の他にも、本体１の内部には、映像信号を処理する信号処理部や各部を制御する制御部等の回路が設けられている。また、シャーシ５上には、図示しない消去ヘッド、ガイドピン、およびピンチローラ等が設けられている。また、シリンダ４の内部には、磁気テープ４１に対してデータの読み書きを行う図示しない磁気ヘッドが設けられている。さらに、本体１の前面や図示しないリモートコントローラには、図示しない操作キーが設けられている。
【０００６】
操作キーの操作により動作指示が入力されるのを待っているビデオカセット処理装置５０の待機時には、消費電力を削減するため、制御部とセンサ１０以外の各部への電力供給は停止され、該各部は未起動状態にある。これにより、待機時の消費電力の１Ｗ／ｈ程度の削減が実現されている。ビデオデッキ等で待機時の消費電力を削減することは、例えば下記の特許文献１〜３に開示されているように従来から行われている。
【０００７】
上記待機時において、図６および図７（ａ）に示すようにカセット４０が本体１の内部に挿入されておらずセットもされていない状態では、センサ１０の発光素子１１から発せられた光が受光素子１２で受光されて、センサ１０がＯＮ状態になる。この状態から、図７（ｂ）に示すようにカセット４０が挿入口２より挿入されると、カセット４０がレバー１３に接触して、レバー１３が回動し、発光素子１１から発せられた光がレバー１３に遮られて、受光素子１２で受光されなくなり、センサ１０がＯＦＦ状態になる。すると、制御部はカセット４０が挿入されたと判断し、自動的にカセットローディング機構等の各部を起動して、該カセット４０を本体１の内部へ引き込んでリール台座３にセットする。つまり、操作キーを操作しなくても、カセット４０を挿入するだけで、ビデオカセット処理装置５０が自動的に起動して、カセットローディングを行う。
【０００８】
そして、セットされたカセット４０の誤消去防止部４４の凹部４５が爪４６等により塞がれている場合は、図７（ｃ）に示すようにスイッチ１４の操作子１５が爪４６等に接触して、スイッチ１４の本体内へ押し込まれ、スイッチ１４がＯＮ状態になる。すると、制御部はカセット４０の誤消去防止部４４が録画許可状態にあると判断する。この後、操作キーの操作により録画指示が入力されると、制御部は各部を制御して、カセット４０の磁気テープ４１に対して録画を行う。一方、セットされたカセット４０の誤消去防止部４４の爪４６が切断されて凹部４５が塞がれていない場合は、図７（ｄ）に示すように操作子１５が凹部４５に嵌まり込んで、スイッチ１４の本体内へ押し込まれず、スイッチ１４がＯＦＦ状態になる。すると、制御部はカセット４０の誤消去防止部４４が録画禁止状態にあると判断する。この後、操作キーの操作により録画指示が入力されると、制御部は各部を制御して、カセット４０の磁気テープ４１に対する録画を禁止する。
【０００９】
【特許文献１】特開平８−２５１５２９号公報
【特許文献２】特開平１０−５１９５３号公報
【特許文献３】特開平９−３２０１４２号公報
【発明の開示】
【発明が解決しようとする課題】
【００１０】
上述したように、待機時にフォトセンサ１０、１１、１２によりカセット４０が挿入されたことを検出すると、発光素子１１から常時光が発せられているので、カセット４０が挿入されていないときでも、発光素子１１で電力が無駄に消費されてしまう（０．１Ｗ／ｈ程度）。特許文献１〜３では、このような待機時にカセット４０の挿入を検出するために消費する電力を削減することについては何ら考慮されていない。
【００１１】
本発明は、上述した問題点を解決するものであって、その課題とするところは、待機時の消費電力を一層削減することが可能なビデオカセット処理装置を提供することにある。
【課題を解決するための手段】
【００１２】
本発明では、ビデオカセットが挿入されたことを検出する挿入検出手段と、ビデオカセットに設けられた誤消去防止部が録画禁止状態にあることを検出する録画禁止検出手段と、待機時に挿入検出手段によりビデオカセットが挿入されたと判断すると自動的に各部を起動して該ビデオカセットを引き込んでセットし、録画禁止検出手段によりビデオカセットの誤消去防止部が録画禁止状態にあると判断すると該ビデオカセットに内蔵された磁気テープに対する録画を禁止する制御手段とを備えたビデオカセット処理装置において、録画禁止検出手段は、挿入されたビデオカセットと接触することによりまたはセットされたビデオカセットの前記誤消去防止部と接触することによりＯＦＦ状態からＯＮ状態に切り換わり、ＯＮ状態でのみ電力を消費するスイッチから構成され、スイッチを挿入検出手段として兼用し、待機時にスイッチがＯＦＦ状態からＯＮ状態に切り換わると、制御手段はビデオカセットが挿入されたと判断し、ビデオカセットのセット時にスイッチがＯＦＦ状態にあると、制御手段はビデオカセットの誤消去防止部が録画禁止状態にあると判断する。
【００１３】
このようにすると、従来のような常時電力を消費するフォトセンサを用いなくても、待機時にスイッチが挿入されたビデオカセットと接触して、ＯＦＦ状態からＯＮ状態に切り換わることにより、ビデオカセットが挿入されたと判断して、自動的に各部を起動し、該ビデオカセットを引き込んでセットすることができる。また、ビデオカセットのセット時にスイッチがセットされたビデオカセットの誤消去防止部と接触せず、ＯＦＦ状態にあることにより、ビデオカセットの誤消去防止部が録画禁止状態にあると判断して、該ビデオカセットに内蔵された磁気テープに対する録画を禁止することができる。つまり、必要なときにのみＯＮ状態となって電力を消費するスイッチにより、ビデオカセットの挿入とビデオカセットの誤消去防止部の録画禁止状態とを検出することができるので、待機時の消費電力を一層削減することが可能となる。
【００１４】
また、本発明の一実施形態では、上記誤消去防止部は、ビデオカセットの側面に設けられた凹部と、該凹部を塞ぐように設けられ折り曲げて切断可能な爪とから構成され、上記スイッチを、離間させて設けられた２つの電気的接点と、離間させて各電気的接点にそれぞれ接続された弾性を有する２つの端子と、端子の一方の他方と対向しない面に設けられ、セットされたビデオカセットの誤消去防止部の爪に接触して端子の一方を他方へ押し付ける第１の操作子と、端子の先端部に支持され、挿入されたビデオカセットと接触して端子間へ押し込まれ、ビデオカセットから離間した状態で端子間から押し出される第２の操作子と、第２の操作子の側面に設けられ、第２の操作子が端子間へ押し込まれたときに各端子に接触する導体とから構成する。
【００１５】
このようにすると、待機時に、ビデオカセットが挿入されると、ビデオカセットと第２の操作子とが接触して、第２の操作子がビデオカセットにより端子間へ押し込まれ、導体が各端子に接触して、導体および端子を介して２つの電気的接点が導通することにより、スイッチがＯＦＦ状態からＯＮ状態に切り換わるので、ビデオカセットが挿入されたと確実に判断することができる。また、ビデオカセットのセット時に、ビデオカセットの誤消去防止部の爪が切断されて、凹部が塞がれていない場合には、第１の操作子が爪等に接触せずに凹部に嵌まり込み、各端子と導体とがそれぞれ離間して、２つの電気的接点が導通しなくなることにより、スイッチがＯＦＦ状態になるので、ビデオカセットの誤消去防止部が録画禁止状態であると確実に判断することができる。さらに、ビデオカセットのセット時に、ビデオカセットの誤消去防止部の爪が残っていてまたは爪に代わるものにより、凹部が塞がれている場合には、第１の操作子が爪等に接触して、端子の一方を他方に押し付け、各端子が互いに接触して、端子を介して２つの電気的接点が導通することにより、スイッチがＯＮ状態になるので、ビデオカセットの誤消去防止部が録画禁止状態にないと確実に判断することができる。
【００１６】
さらに、本発明の典型的な実施形態では、ビデオカセットが挿入されたことを検出する挿入検出手段と、ビデオカセットに設けられた誤消去防止部が録画禁止状態にあることを検出する録画禁止検出手段と、待機時に挿入検出手段によりビデオカセットが挿入されたと判断すると自動的に各部を起動して該ビデオカセットを引き込んでセットし、録画禁止検出手段によりビデオカセットの誤消去防止部が録画禁止状態にあると判断すると該ビデオカセットに内蔵された磁気テープに対する録画を禁止する制御手段とを備えたビデオカセット処理装置において、誤消去防止部は、ビデオカセットの側面に設けられた凹部と、該凹部を塞ぐように設けられ折り曲げて切断可能な爪とから構成され、録画禁止検出手段を、離間させて設けられた２つの電気的接点と、離間させて各電気的接点にそれぞれ接続された弾性を有する２つの端子と、端子の一方の他方と対向しない面に設けられ、セットされたビデオカセットの誤消去防止部の爪に接触して端子の一方を他方へ押し付ける第１の操作子と、端子の先端部に支持され、挿入されたビデオカセットと接触して端子間へ押し込まれ、ビデオカセットから離間した状態で端子間から押し出される第２の操作子と、第２の操作子の側面に設けられ、第２の操作子が端子間へ押し込まれたときに各端子に接触する導体とを備え、各端子が互いに接触しまたは導体と接触して、２つの電気的接点が導通することによりＯＮ状態になり、各端子と導体とがそれぞれ離間して、２つの電気的接点が導通しないことによりＯＦＦ状態になり、ＯＮ状態でのみ電力を消費するスイッチから構成する。この構成で、スイッチを挿入検出手段として兼用して、専用の挿入検出手段を省略し、待機時にスイッチがＯＦＦ状態からＯＮ状態に切り換わると、制御手段はビデオカセットが挿入されたと判断し、ビデオカセットのセット時にスイッチがＯＦＦ状態にあると、制御手段はビデオカセットの誤消去防止部が録画禁止状態にあると判断する。
【００１７】
このようにすると、従来のような常時電力を消費するフォトセンサを用いなくても、待機時にビデオカセットが挿入されると、ビデオカセットと第２の操作子とが接触して、第２の操作子がビデオカセットにより端子間へ押し込まれ、導体が各端子に接触して、導体および端子を介して２つの電気的接点が導通することにより、スイッチがＯＦＦ状態からＯＮ状態に切り換わるので、ビデオカセットが挿入されたと確実に判断して、自動的に各部を起動し、該ビデオカセットを引き込んでセットすることができる。また、ビデオカセットのセット時に、ビデオカセットの誤消去防止部の爪が切断されて、凹部が塞がれていない場合には、第１の操作子が爪に接触せずに凹部に嵌まり込み、各端子と導体とがそれぞれ離間して、２つの電気的接点が導通しなくなることにより、スイッチがＯＦＦ状態になるので、ビデオカセットの誤消去防止部が録画禁止状態であると確実に判断して、ビデオカセットに内蔵された磁気テープに対する録画を禁止することができる。つまり、必要なときにのみＯＮ状態となって電力を消費するスイッチにより、ビデオカセットの挿入とビデオカセットの誤消去防止部の録画禁止状態とを検出することができるので、待機時の消費電力を一層削減することが可能となる。また、スイッチを挿入検出手段と録画禁止検出手段として兼用して、専用の挿入検出手段を省略し、部品にかかるコストを一層削減することが可能となる。
【発明の効果】
【００１８】
本発明によれば、従来のような常時電力を消費するフォトセンサを用いなくても、必要なときにのみＯＮ状態となって電力を消費するスイッチにより、ビデオカセットの挿入とビデオカセットの誤消去防止部の録画禁止状態とを検出することができるので、待機時の消費電力を一層削減することが可能となる。
【発明を実施するための最良の形態】
【００１９】
図１は、本発明の実施形態に係るビデオカセット処理装置１００の電気ブロック図である。本実施形態のビデオカセット処理装置１００は、ビデオデッキ部２４を内蔵したテレビジョン受像機から構成されている。ビデオカセット（以下「カセット」という。）４０は、図６および図７で説明したものと同様のビデオカセットである。制御部２０は、ＣＰＵとメモリ等を内蔵したマイクロコンピュータから構成されていて、ビデオカセット処理装置１００の各部を制御する。信号処理部２１は、映像信号および音声信号を処理する回路から構成されている。チューナ２２は、図示しないアンテナで受信されたテレビジョン放送電波から所定のチャンネルのテレビジョン信号を抽出する。外部インターフェイス２３は、ビデオカセット処理装置１００に外付け（ケーブルにより接続）された図示しないビデオデッキやデジタルカメラ等の映像機器から信号を受信する。ビデオデッキ部２４は、カセット４０に内蔵された磁気テープ４１（図２等に図示）から磁気データを読み取って信号処理部２１へ出力する。
【００２０】
信号処理部２１は、チューナ２２、外部インターフェイス２３、またはビデオデッキ部２４より入力される信号を処理して、スピーカ２５より音声を出力可能な信号と、ＣＲＴ（Cathode Ray Tube）２６に映像を表示可能な信号を生成し、スピーカ２５とＣＲＴ２６へそれぞれ出力する。スピーカ２５は、信号処理部２１から入力される信号に基づいて音声を出力する。ＣＲＴ２６は、信号処理部２１から入力される信号に基づいて映像を表示する。また、信号処理部２１は、チューナ２２または外部インターフェイス２３より入力される信号を処理して、ビデオデッキ部２４へ出力する。ビデオデッキ部２４は、信号処理部２２から入力される信号に従ってカセット４０の磁気テープ４１に映像を磁気記録する。
【００２１】
操作部２７は、ビデオカセット処理装置１００の本体１（図２等に図示）や図示しないリモコンに設置された図示しない各種の操作キーから構成されている。電源部２８は、ビデオカセット処理装置１００の各部に電力を供給する。操作部２７の操作キーの操作により動作指示が入力されるのを待っているビデオカセット処理装置１００の待機時には、消費電力を削減するため、電源部２８から制御部２０以外の各部への電力供給は停止され、各部は未起動状態にある。これにより、待機時の消費電力の１Ｗ／ｈ程度の削減が実現されている。待機時に制御部２０で消費される電力は、起動時にビデオデッキ部２４やＣＲＴ２６等で消費される電力に比べて非常に小さい。レックセーフティスイッチ（REC Safety Switch、以下「スイッチ」という。）３０は、後述する構造のスイッチから構成されている。スイッチ３０は、カセット４０の誤消去防止部４４（図２等）が録画を禁止する状態にあることと、ビデオデッキ部２４にカセット４０が挿入されたことをそれぞれ検出する。つまり、スイッチ３０は、録画禁止検出手段と挿入検出手段を兼ねるものである。スイッチ３０には常時所定の大きさの電圧が印加されているが、ＯＮ状態になったときにのみ電流が流れて、電力が消費される。スイッチ３０で消費される電力は、起動時にビデオデッキ部２４やＣＲＴ２６等で消費される電力に比べて非常に小さい。
【００２２】
図２は、ビデオカセット処理装置１００のビデオデッキ部２４の構造とカセット４０を示す図である。図３Ａ〜図３Ｄは、ビデオカセット処理装置１００にカセット４０が挿入されてセットされる状態を示す図である。各図では、図６および図７と同一および対応する部分には、便宜上同一符号を付している。以下、重複する説明は省略する。図６等に示した従来のビデオカセット処理装置５０には、発光素子１１と受光素子１２から成るセンサ１０、レバー１３、およびスイッチ１４が設けられていたのに対し、ビデオカセット処理装置１００には、これらが省略されて、代わりにスイッチ３０が設けられている。
【００２３】
スイッチ３０は基板１６に実装されて、本体１の内部の挿入口２近傍に配置されている。スイッチ３０の本体３１は、合成樹脂で形成されている。本体３１の内部には、図３Ａ〜図３Ｄに示すように２つの端子３２、３３が所定の間隔で離間させられて設けられている。各端子３２、３３は、銅材で形成されていて、弾性を有している。リール台座３側に配置されている一方の端子３２の他方の端子３３と対向しない面の上部には、第１の操作子３４が本体３１の側面に形成された孔から突出するように設けられている。第１の操作子３４は、合成樹脂で形成されていて、端子３２と反対側の端部が先細り形状に加工され、その先端が円弧状に加工されている。第１の操作子３４は、図３Ｃに示すようにリール台座３にセットされたカセット４０の誤消去防止部４４の爪４６に接触して、端子３２を弾性変形させて端子３３へ押し付ける。本体３１の上部には、第２の操作子３５が本体３１の上面に形成された孔から突出するように端子３２、３３の先端で支持されて設けられている。第２の操作子３５は、合成樹脂で形成されていて、両端部が先細り形状に加工され、その先端が円弧状に加工されている。第２の操作子３５の中央部の径は、図３Ａに示すように端子３２、３３の設置間隔より大きく形成されている。第２の操作子３５は、図３Ｂに示すように挿入口２から挿入されたカセット４０の下面と接触して、端子３２、３３間へ押し込まれる。また、第２の操作子３５は、図３Ａ等に示すようにカセット４０から離間した状態で端子３２、３３の弾性力により端子３２、３３間から押し出される。第２の操作子３５の中央部の側面には、銅箔から成る導体３６が貼り付けられて設けられている。図３Ｂに示すように第２の操作子３５が端子３２、３３間へ押し込まれたときに、導体３６は各端子３２、３３に接触する。
【００２４】
図４は、ビデオカセット処理装置１００のスイッチ３０近傍の回路を示す図である。スイッチ３０の本体３１の内部には、２つの電気的接点３７、３８が所定の間隔で離間させて設けられている。各電気的接点３７、３８は、上述した基板１６に接続されている。上述した端子３２、３３は、各電気的接点３７、３８に離間した状態でそれぞれ接続されている。上述した導体３６は、各電気的接点３７、３８に接続されていない。電気的接点３７は、ライン３９ａを介して上述した電源部２８に接続され、ライン３９ａから分岐したライン３９ｂを介して上述した制御部２０に接続されている。電気的接点３８は、ライン３９ｃを介してグランドに接続されている。ライン３９ａには、電源部２８から常時所定の大きさの電圧が印加されている。電気的接点３７、３８が離間して導通していないときは、スイッチ３０で電力が消費されず、ライン３９ｂに流れる電流のレベルが高くなる。電気的接点３７、３８が接続されて導通すると、スイッチ３０で電力が消費され、ライン３９ｂに流れる電流のレベルが低くなる。ライン３９ｂの電流レベルの高いときが、スイッチ３０のＯＦＦ状態であり、ライン３９ｂの電流レベルの低いときが、スイッチ３０のＯＮ状態である。
【００２５】
図５は、ビデオカセット処理装置１００の動作手順を示すフローチャートである。各処理は、図１の制御部２０が実行する。ビデオカセット処理装置１００の待機時は、上述したように各部への電力供給が停止（Power OFF）されている。この待機時において、図２および図３Ａに示すようにカセット４０が本体１の内部に挿入されておらずセットもされていない状態では、スイッチ３０の各端子３２、３３と導体３６とがそれぞれ離間する。このため、図４（ａ）に示すように電気的接点３７、３８が導通せず、ライン３９ｂの電流レベルが高くなる。こうなると、制御部２０は、スイッチ３０がＯＦＦ状態にあることを検出して（図５のステップＳ１：ＹＥＳ）、キー監視処理を行う（ステップＳ２）。キー監視処理とは、図１の操作部２７の操作キーが操作されて、何らかの動作指示が入力されるのを監視し、いずれかの操作キーが操作されると、該操作キーに対応する動作を実行することである。例えば、電源ボタンが操作されて、ＯＮ状態になると、制御部２０は各部への電力供給を開始（Power ON）して、各部を起動する。
【００２６】
そして、図３Ｂに示すようにカセット４０が挿入口２より挿入されると、カセット４０とスイッチ３０の第２の操作子３５の上部とが接触して、第２の操作子３５がカセット４０により端子３２、３３間へ押し込まれ、各端子３２、３３が弾性変形して導体３６と接触する。このため、図４（ｂ）に示すように導体３６および端子３２、３３を介して電気的接点３７、３８が導通し、ライン３９ｂの電流レベルが低くなる。こうなると、制御部２０は、スイッチ３０がＯＮ状態にあることを検出して（図５のステップＳ３：ＹＥＳ）、カセット４０が挿入されたと判断する（ステップＳ４）。そして、各部への電力供給を開始（Power ON）して、自動的に各部を起動し（ステップＳ５）、カセットローディングを行う（ステップＳ６）。即ち、カセット４０を本体１の内部へ引き込んでリール台座３にセットする。またこのとき、チューナ２２等から出力されるテレビジョン信号に基づく映像をＣＲＴ２６に表示し、音声をスピーカ２５から出力する。
【００２７】
カセットローディング中に、カセット４０がスイッチ３０の上部を通過して、第２の操作子３５から離間すると、第２の操作子３５が端子３２、３３の弾性力により端子３２、３３間から押し出されて、図３Ａに示す元の状態に復帰し、導体３６が各端子３２、３３から離間する。このため、図４（ａ）に示すように電気的接点３７、３８が導通しなくなって、ライン３９ｂの電流レベルが高くなり、スイッチ３０がＯＦＦ状態になる。また、カセット４０がリール台座３に向かって下降して行くと、カセット４０のスイッチ３０側の側面の誤消去防止部４４より下の部分と、スイッチ３０の第１の操作子３４とが接触して、第１の操作子３４が本体３１の内部へ押し込まれる。すると、第１の操作子３４が端子３２を弾性変形させて端子３３に押し付け、各端子３２、３３が互いに接触する。このため、図４（ｃ）に示すように端子３２、３３を介して電気的接点３７、３８が導通し、ライン３９ｂの電流レベルが低くなり、スイッチ３０がＯＮ状態になる。
【００２８】
カセットローディングの実行後、セットしたカセット４０の誤消去防止部４４の凹部４５が爪４６またはビニルテープ等の爪４６に代わるもので塞がれている場合は、図３Ｃに示すようにスイッチ３０の第１の操作子３４が爪４６等に接触して、本体３１の内部へ押し込まれるので、端子３２が端子３３に押し付けられ、各端子３２、３３が互いに接触する。このため、図４（ｃ）に示すように端子３２、３３を介して電気的接点３７、３８が導通し、ライン３９ｂの電流レベルが低くなる。こうなると、制御部２０は、スイッチ３０がＯＮ状態にあることを検出して（図５のステップＳ７：ＹＥＳ）、カセット４０の誤消去防止部４４が録画許可状態にあると判断し（ステップＳ８）、キー監視処理を行う（ステップＳ１０）。この後、操作キーが操作されて録画指示が入力されると、制御部２０は、各部を制御して、カセット４０の磁気テープ４１に対して録画を行う。
【００２９】
一方、セットしたカセット４０の誤消去防止部４４の爪４６が切断されて、凹部４５が何ら塞がれていない場合は、図３Ｄに示すように第１の操作子３４が爪４６等に接触せず、端子３２の弾性力により元の状態に復帰して、凹部４５に嵌まり込むので、各端子３２、３３および導体３６がそれぞれ離間する。このため、図４（ａ）に示すように電気的接点３７、３８が導通せず、ライン３９ｂの電流レベルが高くなる。こうなると、制御部２０は、スイッチ３０がＯＦＦ状態にあることを検出して（図５のステップＳ７：ＮＯ）、カセット４０の誤消去防止部４４が録画禁止状態にあると判断し（ステップＳ９）、キー監視処理を行う（ステップＳ１０）。この後、操作キーが操作されて録画指示が入力されると、制御部２０は、各部を制御して、カセット４０の磁気テープ４１に対する録画を禁止する。
【００３０】
また、ビデオカセット処理装置１００の待機時に、カセット４０が本体１の内部に既にセットされている場合には、該カセット４０の誤消去防止部４４の凹部４５が爪４６等で塞がれていれば、上述したように電気的接点３７、３８が導通して（図４（ｃ）および図３Ｃの状態）、スイッチ３０がＯＮ状態になるので（図５のステップＳ１：ＮＯ）、制御部２０はカセット４０がセット済みであると判断して、キー監視処理を行う（ステップＳ１０）。この後、例えば取り出しキーが操作されて、カセット４０の返却が指示されると、制御部２０は各部への電力供給を開始（Power ON）して、カセットローディング機構等の各部を起動し、内部のカセット４０を挿入口２へ排出して取り出し可能にする。対して、セット済みのカセット４０の誤消去防止部４４の凹部４５が何ら塞がれていなければ、上述したように電気的接点３７、３８が導通せず（図４（ａ）および図３Ｄの状態）、スイッチ３０がＯＦＦ状態になるので（図５のステップＳ１：ＹＥＳ）、制御部２０はキー監視処理を行う（ステップＳ２）。この後、既にカセット４０がセットされているため、別のカセット４０がさらに挿入されて、スイッチ３０がＯＮ状態になることはなく（ステップＳ３：ＮＯ）、ステップＳ２のキー監視処理が繰り返し実行される。特に、既にカセット４０がセットされた状態で別のカセット４０の挿入を阻止するような構造を挿入口２の近傍等に設けておくことで、別のカセット４０の挿入により、ステップＳ３でスイッチ３０がＯＮ状態になるのを確実に防ぐことができる。また、待機時に既にカセット４０がセットされていることを他のスイッチ等により検出して、挿入された別のカセット４０に対するカセットローディングを禁止するようにしてもよい。
【００３１】
以上のようにすることで、ビデオカセット処理装置１００の待機時に、挿入口２からカセット４０が挿入されると、カセット４０と第２の操作子３５とが接触して、第２の操作子３５が端子３２、３３間へ押し込まれ、導体３６が各端子３２、３３に接触して、導体３６および端子３２、３３を介して電気的接点３７、３８が導通することにより、スイッチ３０がＯＦＦ状態からＯＮ状態に切り換わる。このため、従来のような常時電力を消費するフォトセンサ１０、１１、１２（図６等）を用いなくても、このスイッチ３０のＯＦＦ状態からＯＮ状態への切り換わりにより、カセット４０が挿入されたと確実に判断して、自動的に各部を起動し、該カセット４０を本体１の内部に引き込んでセットすることができる。
【００３２】
また、カセット４０をセットした時に、カセット４０の誤消去防止部４４の爪４６が残っていてまたは爪４６に代わるものにより、凹部４５が塞がれている場合には、第１の操作子３４が爪４６等に接触して、端子３２を端子３３に押し付け、各端子３２、３３が互いに接触して、端子３２、３３を介して電気的接点３７、３８が導通することにより、スイッチ３０がＯＮ状態になる。このため、カセット４０が挿入されたと誤判断することなく、このスイッチ３０のＯＮ状態から、カセット４０の誤消去防止部４４が録画禁止状態にないと確実に判断して、該カセット４０の磁気テープ４１に対して録画を行うことができる。
【００３３】
また、カセット４０のセット時に、カセット４０の誤消去防止部４４の爪４６が切断されて、凹部４５が塞がれていない場合には、第１の操作子３４が爪４６に接触せずに凹部４５に嵌まり込み、各端子３２、３３と導体３６とがそれぞれ離間して、電気的接点３７、３８が導通しなくなることにより、スイッチ３０がＯＦＦ状態になる。このため、このスイッチ３０のＯＦＦ状態から、カセット４０の誤消去防止部４４が録画禁止状態にあると確実に判断して、該カセット４０の磁気テープ４１に対する録画を禁止することができる。
【００３４】
よって、従来のフォトセンサ１０、１１、１２を用いなくても、必要なときにのみＯＮ状態となって電力を消費するスイッチ３０により、カセット４０の挿入とカセット４０の誤消去防止部４４の録画禁止状態とを検出することができるので、ビデオカセット処理装置１００の待機時の消費電力を一層削減することが可能となる。具体的には、従来から待機時に各部への電力供給を停止することにより消費電力の１Ｗ／ｈ程度の削減を実現しているのに加えて、発光素子１１での消費電力の０．１Ｗ／ｈ程度の削減（さらに１０％の削減）を実現することができる。また、スイッチ３０を挿入検出手段と録画禁止検出手段として兼用して、従来のような専用の挿入検出手段１０、１１、１２を省略しているので、ビデオカセット処理装置１００の部品にかかるコストを一層削減することが可能となる。
【００３５】
本発明は、以上述べた実施形態以外にも種々の形態を採用することができる。例えば、以上の実施形態では、スイッチ３０を用いて、図６等に示したセンサ１０を省略した例を挙げているが、センサ１０は残しておいて、起動時にのみ発光素子１１から発光させて、カセット４０の挿入やセットの有無を検出するのに用いてもよい。このようにしても、待機時の消費電力を一層削減することができる。
【００３６】
また、以上の実施形態では、爪４６と凹部４５から成る誤消去防止部４４が設けられたＶＨＳまたはＳ−ＶＨＳ方式のビデオカセット４０と、ビデオデッキ部内蔵テレビジョン受像機から成るビデオカセット処理装置１００に、本発明を適用した例を挙げているが、本発明はこれ以外にも、例えばスライドキーと溝から成る誤消去防止部が設けられたＤ−ＶＨＳ方式のビデオカセットに適用することが可能である。この場合、録画禁止位置または録画許可位置にあるスライドキーと接触するように第１の操作子を設ければよい。また、本発明は、ビデオデッキまたはビデオデッキ部を内蔵したＤＶＤプレーヤやハードディスクレコーダ等の複合型の映像機器のようなビデオカセット処理装置にも適用することが可能である。
【図面の簡単な説明】
【００３７】
【図１】本発明の実施形態に係るビデオカセット処理装置の電気ブロック図である。
【図２】本発明の実施形態に係るビデオカセット処理装置とビデオカセットを示す図である。
【図３Ａ】本発明の実施形態に係るビデオカセット処理装置にビデオカセットが挿入されてセットされる状態を示す図である。
【図３Ｂ】本発明の実施形態に係るビデオカセット処理装置にビデオカセットが挿入されてセットされる状態を示す図である。
【図３Ｃ】本発明の実施形態に係るビデオカセット処理装置にビデオカセットが挿入されてセットされる状態を示す図である。
【図３Ｄ】本発明の実施形態に係るビデオカセット処理装置にビデオカセットが挿入されてセットされる状態を示す図である。
【図４】本発明の実施形態に係るビデオカセット処理装置のスイッチ近傍の回路を示す図である。
【図５】本発明の実施形態に係るビデオカセット処理装置の動作手順を示すフローチャートである。
【図６】従来のビデオカセット処理装置とビデオカセットを示す図である。
【図７】従来のビデオカセット処理装置にビデオカセットが挿入されてセットされる状態を示す図である。
【符号の説明】
【００３８】
２０  制御部
３０  レックセーフティスイッチ
３２、３３  端子
３４  第１の操作子
３５  第２の操作子
３６  導体
３７、３８  電気的接点
４０  ビデオカセット
４１  磁気テープ
４４  誤消去防止部
４５  凹部
４６  爪
１００  ビデオカセット処理装置
【図１】
2007257700.tif 000003
【図２】
2007257700.tif 000004
【図３Ａ】
2007257700.tif 000005
【図３Ｂ】
2007257700.tif 000006
【図３Ｃ】
2007257700.tif 000007
【図３Ｄ】
2007257700.tif 000008
【図４】
2007257700.tif 000009
【図５】
2007257700.tif 000010
【図６】
2007257700.tif 000011
【図７】
2007257700.tif 000012